(57)【要約】【課題】例えば、高速移動中の自動車に搭載されるテレビにおいて、表示部に出力される動画の画質を全体的に良くすることを目的とする。【解決手段】第１の動画におけるフレームの受信品質を所定レベルと比較してフレーム単位で評価する評価部７と、この評価部７によって評価されたフレームの受信品質が所定レベルより良い場合は、評価されたフレームを表示部４に出力し、評価されたフレームの受信品質が、所定レベルより悪い場合は、評価されたフレームに対応する第２の動画におけるフレームを表示部４に出力する切り替え部８とを有する。【選択図】図１
2006311259.tif 000002
【特許請求の範囲】
【請求項１】
第１の動画及びこの第１の動画と同じ内容の第２の動画を受信する受信部と、
前記第１の動画におけるフレームの受信品質を所定レベルと比較してフレーム単位で評価する評価部と、
この評価部によって評価されたフレームの受信品質が前記所定レベルより良い場合は、前記評価されたフレームを表示部に出力し、前記評価されたフレームの受信品質が、前記所定レベルより悪い場合は、前記評価されたフレームに対応する前記第２の動画におけるフレームを前記表示部に出力する切り替え部と
を有する動画受信モジュール。
【請求項２】
第１の動画及びこの第１の動画と同じ内容の第２の動画を受信する受信部と、
前記第１の動画におけるフレームの受信品質及びこのフレームに対応する前記第２の動画におけるフレームの受信品質を、それぞれ第１の動画用、第２の動画用の所定レベルと比較してフレーム単位で評価する評価部と、
前記第１の動画におけるフレームと前記第２の動画におけるフレームのうち、前記評価部による評価結果の良い方を表示部に出力する切り替え部と
を有する動画受信モジュール。
【請求項３】
前記第２の動画におけるフレームのデータ量は前記第１の動画におけるフレームのデータ量よりも小さい請求項１又は請求項２に記載の動画受信モジュール。
【請求項４】
前記切り替え部は、前記第１の動画におけるフレームの受信品質もしくは評価結果が前記所定レベルより悪くとも前記第１の動画におけるフレームに対応する第２の動画におけるフレームが存在しない場合、前記第１の動画におけるフレームを前記表示部に出力する請求項３に記載の動画受信モジュール。
【請求項５】
前記評価部は、前記第１の動画におけるフレームのエラーもしくは前記第２の動画におけるフレームのエラーのいずれか１つ、又は両者をフレーム単位で検知するエラー検知部を有し、このエラー検知手段によって検知された前記エラーに基づいて、前記第１の動画におけるフレームの受信品質もしくは前記第２の動画におけるフレームの受信品質のいずれか１つ、又は両者を評価する請求項１から請求項４のいずれか１項に記載の動画受信モジュール。
【請求項６】
前記切り替え部からの符号化された前記第１の動画におけるフレーム又は前記切り替え部からの符号化された前記第２の動画におけるフレームを復号する復号部を有する請求項１から請求項５のいずれか１項に記載の動画受信モジュール。
【請求項７】
前記評価部と前記切り替え部との間に配置され、符号化された前記第１の動画におけるフレーム及び符号化された前記第２の動画におけるフレームを復号する復号部を有する請求項１から請求項５のいずれか１項に記載の動画受信モジュール。
【請求項８】
前記評価部と前記切り替え部との間に配置され、前記第１の動画におけるフレーム及び前記第２の動画におけるフレームを記憶する記憶部を有する請求項１から請求項７のいずれか１項に記載の動画受信モジュール。
【請求項９】
前記評価部は、前記第１の動画におけるフレームと前記第２の動画におけるフレームとのタイミングを合わせる同期部を有する請求項１から請求項８のいずれか１項に記載の動画受信モジュール。
【請求項１０】
前記評価部は、前記第１の動画におけるフレームの受信品質がフレーム単位で評価される前に、前記第１の動画と前記第２の動画とを比較し、両者が同じ内容であるか否かを判断する動画比較部を有し、
この動画比較部によって、前記第１の動画の内容と前記第２の動画の内容とが異なることが判断された場合、前記切り替え部は、前記第１の動画におけるフレームを前記表示部に出力する請求項１から請求項９のいずれか１項に記載の動画受信モジュール。
【請求項１１】
アンテナと、
このアンテナで受信された、第１の動画及びこの第１の動画と同じ内容の第２の動画を受信する受信部と、
前記第１の動画におけるフレームの受信品質をフレーム単位で評価する評価部と、
この評価部によって評価されたフレームの受信品質が所定レベルより良い場合は、この評価された第１の動画におけるフレームを表示部に出力し、前記評価されたフレームの受信品質が、前記所定レベルより悪い場合は、前記評価されたフレームに対応する前記第２の動画におけるフレームを前記表示部に出力する切り替え部と、
この切り替え部から出力された、前記第１の動画におけるフレーム又は前記第２の動画におけるフレームを表示する表示部と
を有する動画受信機器。
【請求項１２】
アンテナと、
このアンテナで受信された、第１の動画及びこの第１の動画と同じ内容の第２の動画を受信する受信部と、
前記第１の動画におけるフレームの受信品質及びこのフレームに対応する前記第２の動画におけるフレームの受信品質を、それぞれ第１の動画用、第２の動画用の所定レベルと比較してフレーム単位で評価する評価部と、
前記第１の動画におけるフレームと前記第２の動画におけるフレームのうち、前記評価部による評価結果の良い方を表示部に出力する切り替え部と、
この切り替え部から出力された、前記第１の動画におけるフレーム又は前記第２の動画におけるフレームを表示する表示部と
を有する動画受信機器。
【発明の詳細な説明】
【技術分野】
【０００１】
本発明は、動画受信モジュールとこれを用いた動画受信機器に関するものである。
【背景技術】
【０００２】
従来の動画受信モジュールは、アンテナで受信された、第１の動画及びこの第１の動画と同じ内容の第２の動画を受信する受信部と、第１の動画の受信品質を評価する評価部と、この評価部の評価に基づき、第１の動画、又は第２の動画を表示部に出力する切り替え部とを有していた。
【０００３】
例えば、高速移動中の車両に搭載されているこの従来の動画受信モジュールは、通常は、高画質の第１の動画を表示部に出力するが、受信部における第１の動画の受信状態が悪くなった場合は、表示部への出力を、低画質であるが受信状態の良い第２の動画へ完全に切り替えていた。
【０００４】
なお、この出願の発明に関連する先行技術文献情報としては、例えば、特許文献１が知られている。
【特許文献１】特開平１０−３３６６７４号公報
【発明の開示】
【発明が解決しようとする課題】
【０００５】
しかしながらこのような従来の動画受信モジュールにおいて、例えば、高画質である第１の動画における、ある１フレームのみの受信品質が悪くなり、低画質の第２の動画が表示部に出力された場合、第１の動画における、その次のフレームの受信品質が回復したとしても、表示部に出力される動画は、第２の動画のままで、第１の動画に戻らなかった。その結果、１度、第１の動画の受信品質が悪くなれば、所定時間、表示部に出力される動画の画質が継続して低画質である第２の動画の画質になるという問題があった。そこで本発明は、表示部に出力される動画の画質を全体的に良くすることを目的とする。
【課題を解決するための手段】
【０００６】
そしてこの目的を達成するために、本発明の動画受信モジュールは、第１の動画におけるフレームの受信品質を所定レベルと比較してフレーム単位で評価する評価部と、この評価部によって評価されたフレームの受信品質が所定レベルより良い場合は、評価されたフレームを表示部に出力し、評価されたフレームの受信品質が、所定レベルより悪い場合は、評価されたフレームに対応する第２の動画におけるフレームを表示部に出力する切り替え部とを有する。
【発明の効果】
【０００７】
上記構成によれば、評価部は第１の動画におけるフレームの受信品質をフレーム単位で評価するので、第１の動画のうち受信品質が所定レベルより悪いフレームのみに対して、評価されたフレームに対応する第２の動画におけるフレームが置き換わって表示部に出力される。従って、表示部に出力される動画の画質を、全体的に、例えば高画質である第１の動画の画質に維持することができる。
【０００８】
また、本発明の動画受信モジュールは、第１の動画におけるフレームの受信品質及びこのフレームに対応する第２の動画におけるフレームの受信品質を、それぞれ第１の動画用、第２の動画用の所定レベルと比較してフレーム単位で評価する評価部と、第１の動画におけるフレームと第２の動画におけるフレームのうち、評価部による評価結果の良い方を表示部に出力する切り替え部とを有する。この構成により、第１の動画におけるフレームと第２の動画におけるフレームのうち、評価結果の良い方がフレーム単位で適宜選択されて表示部に出力されるので、表示部に出力される動画の画質が全体的に良くなる。
【０００９】
また、第２の動画におけるフレームのデータ量は第１の動画におけるフレームのデータ量よりも小さい。通常、表示部に出力される第１の動画を高画質にすることにより、表示部に出力される動画の画質が全体的に高画質になる。
【００１０】
また、切り替え部は、第１の動画におけるフレームの受信品質もしくは評価結果が所定レベルより悪くともこの第１の動画におけるフレームに対応する第２の動画におけるフレームが存在しない場合、第１の動画におけるフレームを表示部に出力する。この構成により、表示部に出力される動画のフレーム同士の時間間隔を、第１の動画におけるフレーム同士の時間間隔に維持することができる。
【００１１】
また、評価部は、第１の動画におけるフレームのエラーもしくは第２の動画におけるフレームのエラーをフレーム単位で検知するエラー検知部を有し、このエラー検知部によって検知されたエラーに基づいて、第１の動画におけるフレームの受信品質もしくは第２の動画におけるフレームの受信品質を評価する。この構成により、評価部は、たとえ第１の動画におけるフレームが符号化されていたとしても、第１の動画におけるフレームの受信品質を評価できる。その結果、評価部は、第１の動画におけるフレームを復号化しなくとも第１の動画におけるフレームの受信品質を評価できるので、評価部における受信品質評価処理の時間を短縮できる。
【００１２】
また、本発明の動画受信モジュールは、切り替え部からの符号化された第１の動画におけるフレーム又は切り替え部からの符号化された第２の動画におけるフレームを復号する復号部を有する。この構成により、符号化された、第１の動画におけるフレーム又はこのフレームに対応する第２の動画におけるフレームのうち、切り替え部によって選択された一方のみを復号部によって復号するだけでよいので、第１の動画におけるフレーム及びこのフレームに対応する第２の動画におけるフレームの両者を復号せずに済む。従って復号部における消費電力を抑えることができる。
【００１３】
または、本発明の動画受信モジュールは、評価部と切り替え部との間に配置され、符号化された第１の動画におけるフレーム及び符号化された第２の動画におけるフレームを復号する復号部を有する。この構成により、復号部が第１の動画におけるフレーム及び第２の動画におけるフレームを復号化している時間に、切り替え部は、評価部から評価結果を受けて、第１の動画におけるフレームの出力と第２の動画におけるフレームの出力とを切り替えることができるので、動画受信モジュール内でのデータ処理時間を短縮することができる。
【００１４】
また、本発明の動画受信モジュールは、評価部と切り替え部との間に配置され、第１の動画におけるフレーム及び第２の動画におけるフレームを記憶する記憶部を有する。この構成により、記憶部が第１の動画におけるフレーム及び第２の動画におけるフレームを記憶している時間に、切り替え部は、評価部から評価結果を受けて、第１の動画におけるフレームの出力と第２の動画におけるフレームの出力とを切り替えることができるので、動画受信モジュール内でのデータ処理時間を短縮することができる。
【００１５】
また、評価部は、第１の動画におけるフレームの受信品質がフレーム単位で評価される前に、第１の動画と第２の動画とを比較し、両者が同じ内容であるか否かを判断する動画比較部を有する。この動画比較部によって、第１の動画の内容と第２の動画の内容とが異なることが判断された場合、切り替え部は、第１の動画におけるフレームを表示部に出力する。この構成により、評価部による評価処理が行われる前に動画比較部による動画比較処理が行われるので、第１の動画の内容と第２の動画の内容とが異なる場合、評価部は受信品質の評価処理を行わずに済む。その結果、評価部における消費電力を抑えることができる。
【発明を実施するための最良の形態】
【００１６】
（実施の形態１）
以下、本発明に係る実施の形態１について図１を用いて説明する。図１は本発明を実施するための最良の形態に係る動画受信モジュールおよびそれを用いた動画受信機器のブロック図である。
【００１７】
動画受信機器１は、アンテナ２と、動画受信モジュール３と、表示部４とを有する。また、動画受信モジュール３は、受信部５と復調部６と評価部７と切り替え部８と復号部９と記憶部１０とを有する。
【００１８】
アンテナ２は、放送局から送出された、約５０ＭＨｚから約８００ＭＨｚまでの放送信号を受け取るアンテナである。
【００１９】
受信部５は、アンテナ２で受信された放送信号の中から受信を希望する周波数のチャンネルを受信し、この希望チャンネルの信号を中間周波信号へ変換して復調部６に供給している。放送信号の１チャンネルの放送帯域は約６ＭＨｚであり、この６ＭＨｚの周波数帯域の中に、２種類の放送信号が含まれている。２種類の放送信号とは、第１の動画である大データ量放送と、この大データ量放送と同じ内容であって、この大データ量放送と異なる符号化方法で符号化された第２の動画である小データ量放送である。第２の動画である小データ量放送におけるフレームのデータ量は、第１の動画である大データ量放送におけるフレームのデータ量よりも小さい。なお、フレームとは、動画を構成する一枚一枚の静止画のことをいう。あるいは、小データ量放送は、大データ量放送に比べてフレームが間引かれて放送されている。例えば、大データ量放送は、ハイビジョン放送であり、小データ量放送は、移動体通信用の１セグ放送である。また、例えば、大データ量放送は、約５．１４８ＭＨｚの周波数帯域で送られ、小データ量放送は、約４２９ＭＨｚの周波数帯域で送られる。
【００２０】
復調部６は、受信部５から供給された中間周波信号を復調し、この復調データ信号の誤り訂正を行う。そして、復調部６は、大データ量放送と小データ量放送とが混在した復調データ信号を評価部７に供給する。復調部６における誤り訂正は、例えばビタビ訂正やリードソロモン訂正であり、これらの訂正において、訂正された復調データ信号中にビット誤りがあるかどうかの判定がなされる。そしてこの復調部６は、復調データ信号中にビット誤りであるエラーを検出した場合に、所定のエラー符号を発生させるエラー符号付加部６ａを有している。なお、発生したエラー符号は、復調データ信号に付加されて評価部７に出力される。
【００２１】
評価部７は、復調部６からの復調データ信号の中から、大データ量放送の復調データ信号と小データ量放送の復調データ信号とを分離し、分離した夫々の復調データ信号を予め定められた個数だけ集合し、符号化データ信号として切り替え部８に供給する。復調データ信号には、夫々の放送に対応した識別番号が付加されており、評価部７は、この識別番号を検出することにより、大データ量放送と小データ量放送とを判別し、分離している。そして、評価部７は、大データ量放送におけるフレームの受信品質を所定レベルと比較してフレーム単位で評価し、その評価結果を切り替え部８に出力する。フレーム単位は、１フレーム単位でも構わないし、複数のフレーム単位でも構わない。
【００２２】
また、評価部７は、復調データ信号の中に含まれたエラー符号をフレーム単位で検出するエラー検出部７ａを有してもよい。エラー検出部７ａによって検出されたエラー符号が所定レベルよりも多い場合に、評価部７は、大データ量放送におけるフレームの受信品質が所定レベルよりも悪いと評価し、大データ量放送におけるフレームの受信品質が悪い旨の信号を切り替え部８に供給する。また、エラー検出部７ａによって検出されたエラー符号が所定レベルよりも少ない場合に、評価部７は、大データ量放送におけるフレームの受信品質が所定レベルよりも良いと評価し、大データ量放送におけるフレームの受信品質が良い旨の信号を切り替え部８に供給する。この所定レベルは、大データ量放送の画質と小データ量放送の画質とが総合的に判断され、定められたものである。なお、エラー検出部７ａによってエラー符号を検出するか否かで、評価部７は大データ量放送におけるフレームの受信品質が悪いか否かを評価してもよい。このようにエラー検出部７ａが復調データ信号の中に含まれたエラー符号を検知することにより、評価部７は、符号化されたままの大データ量放送におけるフレームの受信品質を評価できる。また、動画受信機器１を小型化するために、評価部７はソフトウェアで構成されているのが望ましい。
【００２３】
さらに、評価部７は、大データ量放送におけるフレームに対応する小データ量放送のフレームが存在するか否かを判断する判断部７ｂを有してもよい。大データ量放送に比べて小データ量放送はより多くのフレームが間引かれて放送されている。そこで、判断部７ｂは、大データ量放送におけるフレームの受信品質が所定レベルより悪くても、その大データ量放送におけるフレームに対応する小データ量放送のフレームが存在しないと判断した場合は、切り替え部８に、大データ量放送におけるフレームを表示部４に出力する旨の信号を供給する。その結果、切り替え部８は、大データ量放送におけるフレームの受信品質が所定レベルより悪くても、大データ量放送におけるフレームに対応する小データ量放送のフレームが存在しない場合は、大データ量放送におけるフレームを表示部４に出力する。この構成により、表示部４に出力される動画のフレーム同士の時間間隔を、大データ量放送におけるフレーム同士の時間間隔に維持することができる。
【００２４】
なお、評価部７は、多重分離された、大データ量放送のフレームの符号化データ信号と小データ量放送のフレームの符号化データ信号とのタイミングを合わせる同期部７ｃを有してもよい。この同期部７ｃによって、大データ量放送における所定レベルよりも低い受信品質のフレームと同じ画像である小データ量放送におけるフレームを、切り替え部８を介して復号部９に渡すことができる。
【００２５】
また、評価部７は、大データ量放送におけるフレームの受信品質がフレーム単位で評価される前に、大データ量放送と小データ量放送とを比較し、両者が同じ内容であるか否かを判断する動画比較部７ｄを有してもよい。この動画比較部７ｄによって、大データ量放送の内容と小データ量放送の内容とが異なることが判断された場合、切り替え部８は、大データ量放送におけるフレームを表示部４に出力する。この構成により、大データ量放送の内容と小データ量放送の内容とが異なる場合、評価部７は受信品質の評価処理を行わずに済む。その結果、評価部７における消費電力を抑えることができる。
【００２６】
切り替え部８は、評価部７で分離された大データ量放送の符号化データ信号と、小データ量放送の符号化データ信号と、評価部７で評価された大データ量放送におけるフレームの受信品質の評価結果とを受ける。そして、切り替え部８は、評価部７で評価された大データ量放送におけるフレームの受信品質の評価結果に応じて、評価部７で分離された大データ量放送の符号化データ信号と、小データ量放送の符号化データ信号のいずれか一方を選択し復号部９に供給する。具体的には、切り替え部８は、大データ量放送の復号部９への出力のＯＮとＯＦＦを切り替えるスイッチ８ａと、小データ量放送の復号部９への出力のＯＮとＯＦＦを切り替えるスイッチ８ｂとを有する。例えば、エラー検出部７ａで検出された大データ量放送におけるフレームのエラー符号が所定レベルよりも少ない場合は、スイッチ８ａがＯＮ、スイッチ８ｂがＯＦＦになり、大データ量放送におけるフレームの符号化データ信号が復号部９に供給される。一方、エラー検出部７ａで検出された大データ量放送におけるフレームのエラー符号が所定レベルよりも多い場合は、スイッチ８ａがＯＦＦ、スイッチ８ｂがＯＮになり、小データ量放送におけるフレームの符号化データ信号が復号部９に供給される。なお、通常は、切り替え部８のスイッチ８ａはＯＮ、スイッチ８ｂはＯＦＦであり、大データ量放送におけるフレームの符号化データ信号を復号部９に供給し、エラー検出部７ａで検出された大データ量放送におけるフレームのエラー符号が所定レベルよりも多い場合のみ、小データ量放送におけるフレームの符号化データ信号を復号部９に供給する。この場合、大データ量放送におけるフレームの符号化データ信号は復号部９に供給されない。また、動画受信機器１を小型化するために、切り替え部８はソフトウェアで構成されていても構わない。
【００２７】
復号部９は、切り替え部８からの符号化データ信号を復号する。復号部９は、大データ量放送におけるフレームの符号化データを復号する大データ量放送復号部９ａと、小データ量放送におけるフレームの符号化データを復号する小データ量放送復号部９ｂとからなる。このように、切り替え部８の後に復号部９が配置されているので、大データ量放送におけるフレームの符号化データ信号又は小データ量放送におけるフレームの符号化データ信号のうち、切り替え部８によって選択された一方のみを復号部９によって復号するだけでよい。従って、大データ量放送におけるフレームの符号化データ信号及び小データ量放送におけるフレームの符号化データ信号の両者を復号せずに済む。その結果、復号部９における消費電力を抑えることができる。
【００２８】
記憶部１０は、大データ量放送復号部９ａまたは小データ量放送復号部９ｂの一方から出力された復号データ信号を一時的に格納するメモリである。そして記憶部１０は、１フレーム分の復号データ信号が揃うと、復号データ信号を表示部４へ出力する。これにより、表示部４に受信した放送が表示される。このように、切り替え部８の後に記憶部１０が配置されているので、記憶部１０は、大データ量放送におけるフレームの復号データ信号又は小データ量放送におけるフレームの復号データ信号のうち、切り替え部８によって選択された一方のみを記憶するだけでよい。従って、記憶部１０の容量が小さくて済む。
【００２９】
表示部４は、切り替え部８から復号部９や記憶部１０を介して出力された、大データ量放送におけるフレーム又は小データ量放送におけるフレームを表示する。表示部４は、液晶ディスプレイ、ＣＲＴディスプレイ、プラズマディスプレイ、又は有機ＥＬディスプレイ等、動画を表示するものであれば何でも構わない。
【００３０】
以上の構成により、評価部７は大データ量放送におけるフレームの受信品質をフレーム単位で評価するので、大データ量放送のうち受信品質が所定レベルより悪いフレームに対して、評価されたフレームに対応する小データ量放送におけるフレームが置き換わって表示部４に出力される。従って、表示部４に出力される動画の画質を、全体的に、高画質である大データ量放送の画質に維持することができる。
【００３１】
次に図１及び図２を用いて評価部７における動作について説明する。
【００３２】
復調データ信号分離ステップＳ１において、評価部７は、復調部６によって復調された復調データ信号の中から、大データ量放送の復調データ信号と小データ量放送の復調データ信号とを分離する。
【００３３】
復調データ信号分離ステップＳ１の後には、符号化データ構築ステップＳ２が設けられている。この符号化データ構築ステップＳ２において、評価部７は、分離された大データ量放送と小データ量放送の復調データ信号から符号化データ信号を構築する。
【００３４】
符号化データ構築ステップＳ２の後に、大データ量放送におけるフレームの受信品質をフレーム単位で評価する受信品質評価ステップＳ３が設けられている。この受信品質評価ステップＳ３において、評価部７は、大データ量放送におけるフレームのエラー符号が所定レベルよりも少ないことを検出した場合には、大データ量放送におけるフレームの受信品質が所定レベルよりも良いと評価する。逆に、評価部７は、大データ量放送におけるフレームのエラー符号が所定レベルよりも多いことを検出した場合には、大データ量放送におけるフレームの受信品質が所定レベルよりも悪いと評価する。そして、受信品質評価ステップＳ３において、評価部７は、大データ量放送におけるフレームの受信品質が所定レベルよりも良いと評価した場合には、切り替え部８に、大データ量放送におけるフレームを表示部４に出力する旨の信号を供給し、復調データ信号分離ステップＳ１に戻る。一方、評価部７は、大データ量放送におけるフレームの受信品質が所定レベルよりも悪いと評価した場合には、切り替え可能判断ステップＳ４に移る。
【００３５】
切り替え可能判断ステップＳ４において、評価部７における判断部７ｂは、評価された大データ量放送におけるフレームに対応する小データ量放送のフレームが存在するか否かを判断する。判断部７ｂが大データ量放送におけるフレームに対応する小データ量放送のフレームが存在しないと判断した場合は、評価部７は、切り替え部８に、大データ量放送におけるフレームを表示部４に出力する旨の信号を供給し、復調データ信号分離ステップＳ１に戻る。一方、判断部７ｂが大データ量放送におけるフレームに対応する小データ量放送のフレームが存在すると判断した場合は、評価部７は、切り替え部８に、小データ量放送におけるフレームを表示部４に出力する旨の信号を供給し、復調データ信号分離ステップＳ１に戻る。
【００３６】
なお、受信品質評価ステップＳ３と切り替え可能判断ステップＳ４との順序は上記説明の逆であっても構わない。
【００３７】
なお、第１の動画及び第２の動画は、約５０ＭＨｚから約８００ＭＨｚ以外の周波数帯域の放送であっても構わない。
【００３８】
なお、第１の動画と第２の動画とは異なるチャンネルであっても構わない。
【００３９】
また、第１の動画及び第２の動画は、テレビジョン放送だけでなく、インターネット配信された動画、衛星から送信された動画等、他の動画であっても構わない。
【００４０】
さらに、受信部５は、第１の動画と第２の動画とを異なる時に受信しても構わない。
【００４１】
さらにまた、第１の動画のデータ量と第２の動画のデータ量とは同じであっても構わないし、異なっていても構わない。
【００４２】
また、動画受信モジュール３は、自動車や電車等の車両に搭載されていても構わないし、携帯電話やＰＤＡ等の携帯端末に搭載されていても構わない。
【００４３】
さらに、評価部７は、第１の動画に対応する音声フレームの受信品質を所定レベルと比較してフレーム単位で評価し、切り替え部８は、評価部７によって評価された音声フレームの受信品質が所定レベルより良い場合は、評価された音声フレームをスピーカに出力し、評価された音声フレームの受信品質が、所定レベルより悪い場合は、評価された音声フレームに対応する第２の動画に対応する音声フレームをスピーカに出力しても構わない。この構成により、評価部７は第１の動画に対応する音声フレームの受信品質をフレーム単位で評価するので、第１の動画の音声フレームのうち受信品質が所定レベルより悪い音声フレームのみに対して、評価された音声フレームに対応する第２の動画に対応する音声フレームが置き換わってスピーカに出力される。従って、スピーカに出力される音声品質を、全体的に、第１の動画の音声品質に維持することができる。
【００４４】
さらにまた、評価部７は、第１の動画におけるフレームの一部の受信品質を評価し、切り替え部８は、第１の動画におけるフレームの一部の受信品質が所定レベルより悪い場合、その部分に代えて、その部分に対応する第２の動画におけるフレームの一部を表示部に出力しても構わない。この構成により、表示部に出力される動画がさらに高画質になる。ただ、現在の技術において、この構成を実現することは難しい。
【００４５】
（実施の形態２）
以下、本発明の実施の形態２について図１及び図２を用いて説明する。なお、特に説明しない限りは実施の形態１と同様である。
【００４６】
図２の受信品質評価ステップＳ３において、評価部７は、大データ量放送におけるフレームの受信品質及びこのフレームに対応する小データ量放送におけるフレームの受信品質を、それぞれ大データ量放送用、小データ量放送用の所定レベルと比較してフレーム単位で評価する。大データ量放送用の所定レベルとは、大データ量放送におけるフレームの受信品質に対しての所定レベルである。一方、小データ量放送用の所定レベルとは、小データ量放送におけるフレームの受信品質に対しての所定レベルである。小データ量放送は大データ量放送より低画質であるので、小データ量放送用の所定レベルは、大データ量放送用の所定レベルよりも高い方が望ましい。そして、評価部７は、それぞれの放送をそれぞれの所定レベルと比較して、受信品質がどれくらいなのかを評価する。
【００４７】
例えば、大データ量放送のフレームにおけるエラー符号の数の所定レベルがＸ個、小データ量放送のフレームにおけるエラー符号の数の所定レベルがＹ個と設定されている場合を考える。大データ量放送用の所定レベルＸ個と比較して、大データ量放送のフレームにおける実際のエラー符号の数がＸ１倍であり、小データ量放送用の所定レベルＹ個と比較して、小データ量放送用のフレームにおける実際のエラー符号の数がＹ１倍である場合に、評価部７は、これらＸ１とＹ１とを比較し評価する。そして、Ｘ１がＹ１より小さい場合、つまり、評価部７は、大データ量放送におけるフレームの受信品質が小データ量放送におけるフレームの受信品質よりも、それぞれの所定レベルと比較して良いと評価した場合、大データ量放送におけるフレームを表示部４に出力する旨の信号を切り替え部８に供給する。また、Ｘ１がＹ１より大きい場合、つまり、評価部７は、大データ量放送におけるフレームの受信品質が小データ量放送におけるフレームの受信品質よりも、それぞれの所定レベルと比較して悪いと評価した場合、切り替え可能判断ステップＳ４に移る。
【００４８】
従って、大データ量放送におけるフレームと小データ量放送におけるフレームのうち、評価結果の良い方がフレーム単位で適宜選択されて表示部４に出力されるので、表示部４に出力される動画の画質が全体的に良くなる。
【００４９】
なお、評価部７は、大データ量放送のフレームにおけるエラー符号の数Ｘを何倍かした数と、小データ量放送のフレームにおけるエラー符号の数Ｙとを比較し評価して、評価結果の良い方を表示部４に出力する旨の信号を切り替え部８に供給しても構わない。また、大データ量放送のフレームにおけるエラー符号の数Ｘと小データ量放送のフレームにおけるエラー符号の数Ｙとをそのまま比較し評価して、評価結果の良い方を出力する旨の信号を切り替え部８に供給しても構わない。
【００５０】
なお、切り替え部８は、３つ以上の、内容は同じでデータ量の異なる動画のフレームをフレーム単位で切り替えて、最良の評価結果の動画のフレームを表示部４に出力しても構わない。従って、表示部４に出力される動画がさらに高画質になる。
【００５１】
また、評価部７は、第１の動画に対応する音声フレームの受信品質及びこのフレームに対応する第２の動画に対応する音声フレームの受信品質を、それぞれ第１の動画用、第２の動画用の所定レベルと比較してフレーム単位で評価してもよい。さらに、切り替え部８は、第１の動画におけるフレームの音声データと第２の動画におけるフレームの音声データのうち、評価部７による評価結果の良い方をスピーカに出力しても構わない。この構成により、第１の動画に対応する音声フレームと第２の動画に対応する音声フレームのうち、評価結果の良い方がフレーム単位で適宜選択されてスピーカに出力されるので、スピーカに出力される音声品質が全体的に良くなる。
【００５２】
（実施の形態３）
以下、本発明の実施の形態３について図３を用いて説明する。なお、特に説明しない限りは実施の形態１と同様である。
【００５３】
復号部３９は、評価部７と切り替え部３８との間に配置され、評価部７から大データ量放送におけるフレームの符号化データ信号と小データ量放送におけるフレームの符号化データ信号とを受け、両者を復号する。そして、大データ量放送におけるフレームの復号化データ信号と小データ量放送におけるフレームの復号化データ信号とを切り替え部３８に供給する。
【００５４】
そして、切り替え部３８は、大データ量放送復号部３９ａから大データ量放送におけるフレームの復号化データ信号及び小データ量放送復号部３９ｂから小データ量放送におけるフレームの復号化データ信号を受ける。そして、切り替え部３８は、大データ量放送におけるフレームの復号化データ信号と小データ量放送におけるフレームの復号化データ信号のいずれか一方を記憶部１０に供給する。さらに、切り替え部３８は、復号部３９を介さずに評価部７から直接評価結果を受ける。具体的には、切り替え部３８は、スイッチ３８ａを有し、スイッチ３８ａは、エラー検出部７ａからのエラー符号が供給され、このエラー符号により切り替えられる。つまり、大データ量放送におけるフレームのエラー符号の数が所定レベルよりも少ない場合は、スイッチ３８ａは大データ量放送復号部３９ａ側になる。これにより通常は、大データ量放送におけるフレームの符号化データ信号が大データ量放送復号部３９ａで復号されて記憶部１０に格納され、表示部４に出力される。一方、大データ量放送におけるフレームのエラー符号の数が所定レベルよりも多い場合、スイッチ３８ａが小データ量放送復号部３９ｂ側になる。これにより大データ量放送におけるフレームの受信品質が所定レベルより悪い場合は、小データ量放送におけるフレームの符号化データ信号が小データ量放送復号部３９ｂで復号されて記憶部１０に格納され、表示部４に出力される。
【００５５】
一般に、復号部３９による符号化データ信号の復号化は時間を要する。また、切り替え部３８による出力信号の切り替えも、時間を要する。従って、この構成により、復号部３９が大データ量放送におけるフレーム及び小データ量放送におけるフレームを復号化している時間に、切り替え部３８は、評価部７から評価結果を直接受けて、大データ量放送におけるフレームの出力と小データ量放送におけるフレームの出力とを切り替えることができるので、処理時間を短縮することができる。
【００５６】
（実施の形態４）
以下、本発明の実施の形態４について図４を用いて説明する。なお、特に説明しない限りは実施の形態３と同様である。
【００５７】
記憶部４０は、評価部７と切り替え部４８との間に配置されている。そして、記憶部４０は、大データ量放送復号部４９ａから大データ量放送の符号化データ信号を受け、この復号化データ信号を記憶する大データ量放送記憶部４０ａと、小データ量放送復号部４９ｂから、小データ量放送の復号化データ信号とを受け、この復号化データ信号を記憶する小データ量放送記憶部４０ｂとを有する。また、これら大データ量放送記憶部４０ａ及び小データ量放送記憶部４０ｂはいずれも１フレーム分の復号化データ信号が揃うと、復号化データ信号を切り替え部４８にそれぞれ供給する。
【００５８】
切り替え部４８は、記憶部４０から、１フレーム分の大データ量放送の復号化データ信号及び１フレーム分の小データ量放送の復号化データ信号を受ける。そして、切り替え部４８は、１フレーム分の大データ量放送の復号化データ信号又は１フレーム分の小データ量放送の復号化データ信号のいずれか一方を表示部４に供給する。さらに、切り替え部４８は、復号部４９や記憶部４０を介さずに評価部７から直接評価結果を受ける。具体的には、切り替え部４８は、スイッチ４８ａを有し、スイッチ４８ａは、エラー検出部７ａからのエラー符号が供給され、このエラー符号により切り替えられる。つまり、大データ量放送におけるフレームのエラー符号の数が所定レベルよりも少ない場合は、スイッチ４８ａは大データ量放送記憶部４０ａ側になる。これにより通常は、１フレーム分の大データ量放送の復号化データ信号が、表示部４に出力される。一方、大データ量放送におけるフレームのエラー符号の数が所定レベルよりも多い場合、スイッチ４８ａが小データ量放送記憶部４０ｂ側になる。これにより大データ量放送におけるフレームの受信品質が所定レベルより悪い場合は、１フレーム分の小データ量放送の復号化データ信号が、表示部４に出力される。
【００５９】
一般に、記憶部４０が１フレーム分のデータ信号を記憶するのは時間を要する。従って、この構成により、記憶部４０が１フレーム分の大データ量放送のデータ信号及び１フレーム分の小データ量放送のデータ信号を記憶している時間に、切り替え部４８は、評価部７から評価結果を直接受けて、大データ量放送におけるフレームの出力と小データ量放送におけるフレームの出力とを切り替えることができるので、処理時間を短縮することができる。
【００６０】
なお、上記説明における復号部４９と記憶部４０とは、入れ替わって配置されても構わない。この構成により、記憶部４０によって記憶されるデータ信号が、復号化されていない符号化データ信号になるので、記憶部４０の容量が小さくて済む。
【産業上の利用可能性】
【００６１】
本発明における動画受信モジュールと、これを用いた動画受信機器は、表示部に出力される動画の画質が全体的に高画質になるので、自動車に搭載されるテレビや携帯端末などに利用できる。
【図面の簡単な説明】
【００６２】
【図１】本発明の実施の形態１、２における動画受信機器のブロック図
【図２】本発明の実施の形態１、２における動画受信機器の動作フローチャート
【図３】本発明の実施の形態３における動画受信機器のブロック図
【図４】本発明の実施の形態４における動画受信機器のブロック図
【符号の説明】
【００６３】
１  動画受信機器
２  アンテナ
３  動画受信モジュール
４  表示部
５  受信部
６  復調部
７  評価部
８  切り替え部
９  復号部
１０  記憶部
【図１】
2006311259.tif 000003
【図２】
2006311259.tif 000004
【図３】
2006311259.tif 000005
【図４】
2006311259.tif 000006